【手続補正書】
【提出日】平成17年8月17日(2005.8.17)
【手続補正１】
【補正対象書類名】明細書
【補正対象項目名】全文
【補正方法】変更
【補正の内容】
【書類名】     明細書
【発明の名称】  液晶表示装置
【特許請求の範囲】
【請求項１】  対向して配置された第１及び第２の透明基板間に液晶層を挟持してなる液晶パネル、
上記液晶パネル前面となる上記第１基板側の表示領域を露出させる開口部を有し、上記
液晶パネルを保持するフレーム、
上記液晶パネル背面となる上記第２基板に平行に設けられた平面発光体、
上記第１基板と上記第２基板との間に設けられ、上記液晶パネルの表示領域の周辺部を遮光するブラックマトリックス、
上記第２基板の上記平面発光体側の面の周辺部に設けられた遮光部材を備え、
上記遮光部材は、上記第１基板の端部から距離Ｌ1 （Ｌ1 ≧tg２・tan ・sin -1(n0 ／n2) ＋ａ）（tg２は第２基板の厚さ，n0は空気の屈折率，n2は第２基板の屈折率，ａは第１基板の端部とブラックマトリックスとの距離）の位置まで設けられていることを特徴とする液晶表示装置。
【請求項２】  対向して配置された第１及び第２の透明基板間に液晶層を挟持してなる液晶パネル、
上記液晶パネル前面となる上記第１基板側の表示領域を露出させる開口部を有し、上記
液晶パネルを保持するフレーム、
上記液晶パネル背面となる上記第２基板に平行に設けられた平面発光体、
上記第１基板と上記第２基板との間に設けられ、上記液晶パネルの表示領域の周辺部を遮光するブラックマトリックス、
上記第１基板の上記開口部側の面の周辺部に設けられた遮光部材を備え、
上記遮光部材は、上記第１基板の端部から距離Ｌ2 （Ｌ2 ≧tg１・tan ・sin -1(n0 ／n1) ）（tg１は第１基板の厚さ，n0は空気の屈折率，n1は第１基板の屈折率）の位置まで設けられていることを特徴とする液晶表示装置。
【請求項３】  対向して配置された第１及び第２の透明基板間に液晶層を挟持してなる液晶パネル、
上記液晶パネル前面となる上記第１基板側の表示領域を露出させる開口部を有し、上記
液晶パネルを保持するフレーム、
上記液晶パネル背面となる上記第２基板に平行に設けられた平面発光体、
上記第１基板と上記第２基板との間に設けられ、上記液晶パネルの表示領域の周辺部を遮光するブラックマトリックス、
上記第１基板の上記開口部側の面の周辺部に設けられた第１の遮光部材、
上記第２基板の上記平面発光体側の面の周辺部に設けられた第２の遮光部材を備え、
Ｌ３＋Ｌ4 ≧tg１・tan・sin -1(n0 ／n1) ＋tg2・tan・sin -1(n0 ／n2)
（Ｌ3は第１基板の端部と第１の遮光部材との距離，Ｌ4は第１基板の端部と第２の遮光部材との距離，tg１は第１基板の厚さ，n0は空気の屈折率，n1は第１基板の屈折率，tg２は第２基板の厚さ，n2は第２基板の屈折率）であることを特徴とする液晶表示装置。
【請求項４】  一定距離を隔て対向して配置された第１及び第２の透明基板間に液晶
層を挟持してなり、上記第１基板及び上記第２基板の端面が揃っていない辺を有する液晶パネル、
上記液晶パネル前面となる上記第１基板側の表示領域を露出させる開口部を有し、上記
液晶パネルを保持するフレーム、
上記液晶パネル背面となる上記第２基板に近接して平行に設けられた平面発光体、
上記第１基板または上記第２基板の上記液晶層側の面に形成され、上記液晶パネルの表
示領域の周辺部を遮光するブラックマトリックス、
上記第１基板及び上記第２基板の端面が揃っていない辺において、大きい方の基板面の
上記ブラックマトリックス付近から、他方の基板の端部付近まで設けられた遮光膜を備えたことを特徴とする液晶表示装置。
【請求項５】  一定距離を隔て対向して配置された第１及び第２の透明基板間に液晶
層を挟持してなる液晶パネル、
上記液晶パネル前面となる上記第１基板側の表示領域を露出させる開口部を有し、上記
液晶パネルを保持するフレーム、
上記液晶パネル背面となる上記第２基板に近接して平行に設けられた平面発光体、
上記第１基板の端面に設けられた空気より屈折率の高い透明樹脂を備えたことを特徴と
する液晶表示装置。
【請求項６】  第２基板は、画素電極、表示用駆動素子及びゲート・ソース配線等の
駆動用配線を備えた表示駆動基板であることを特徴とする請求項１〜請求項５のいずれか一項に記載の液晶表示装置。
【発明の詳細な説明】
【０００１】
【発明の属する技術分野】
本発明は、透過型液晶表示装置に関し、特に液晶パネル前面となるカラーフィルタ基板
端面の全反射による光漏れの抑制に関するものである。
【０００２】
【従来の技術】
図１１は、従来の一般的な透過型液晶表示装置を示す斜視図、図１２は、図１１中Ａ−
Ａにおける断面図、図１３は、図１２に示す液晶表示装置の端部を示す拡大断面図である。図において、１は一定距離を隔て対向して配置されたカラーフィルタ基板２及びＴＦＴアレイ基板３間に液晶層（図示せず）を挟持してなる液晶パネル、４はカラーフィルタ基板２またはＴＦＴアレイ基板３の液晶層側の面に形成され、液晶パネル１の表示領域６の周辺部を遮光するブラックマトリックス、５は液晶パネル１前面となるカラーフィルタ基板２側の表示領域６を露出させる開口部を有し、液晶パネル１を保持する外形フレーム、７は液晶パネル１背面となるＴＦＴアレイ基板３に近接して平行に設けられた平面発光体、８はモールドフレーム、９はＴＦＴアレイ基板３にテープキャリアパッケージにて接続されたゲートバス基板である。
【０００３】
従来の液晶表示装置では、平面発光体７からブラックマトリックス４の外側を通る光は
、ブラックマトリックス４と外形フレーム５が重なり量を持つ場合、外形フレーム５により遮光されるため、正面から視認されることはない。一方、外形フレーム５とブラックマトリックス４の重なり量が無い場合には、ブラックマトリックス４と外形フレーム５の間から光が視認されるが、これに対しては、液晶パネル１の裏面で表示領域６の外側に遮光テープ１０ｂを設けることにより遮光できる。液晶パネル１と外形フレーム５の間に隙間が空いている場合、平面発光体７の光がモジュール内を散乱反射し、上記の隙間から光が見える場合があるが、隙間を埋めるように遮光テープ１１ｂを設けることによって遮光することができる。
【０００４】
【発明が解決しようとする課題】
しかしながら、上記のような従来の液晶表示装置を鋭角で斜めから見た場合、液晶パネ
ル１の表示領域６の外側より、光漏れが視認されることがあった。この光漏れは、図１３に示すように、液晶パネル１前面となるカラーフィルタ基板２端面の全反射によって起こるものである。一般に、液晶パネル１の屈折率は空気の屈折率より高く、平面発光体７から出た光のうち、深い入射角で液晶パネル１に入射した光（図中イ）は、屈折により浅い角度となるが（図中ロ）、ブラックマトリックス４の外側を通過した場合、カラーフィルタ基板２端面で全反射を起こし（図中ハ）、空気中へ出る際にさらに深い角度となって（図中ニ）、従来の外形フレーム５及び表示領域６の外側に設けられた遮光テープ１０ｂ、１１ｂでは遮光することができないという問題があった。
【０００５】
本発明は、上記のような問題点を解消するためになされたもので、液晶表示装置を斜め
から見た場合に視認されるカラーフィルタ基板２端面の全反射によって起こる光漏れを抑制することを目的とする。
【０００６】
【課題を解決するための手段】
本発明に係わる液晶表示装置は、対向して配置された第１及び第２の透明基板間に液晶層を挟持してなる液晶パネル、上記液晶パネル前面となる上記第１基板側の表示領域を露出させる開口部を有し、上記液晶パネルを保持するフレーム、上記液晶パネル背面となる上記第２基板に平行に設けられた平面発光体、上記第１基板と上記第２基板との間に設けられ、上記液晶パネルの表示領域の周辺部を遮光するブラックマトリックス、上記第２基板の上記平面発光体側の面の周辺部に設けられた遮光部材を備え、上記遮光部材は、上記第１基板の端部から距離Ｌ1 （Ｌ1 ≧tg２・tan ・sin -1(n0 ／n2) ＋ａ）（tg２は第２基板の厚さ，n0は空気の屈折率，n2は第２基板の屈折率，ａは第１基板の端部とブラックマトリックスとの距離）の位置まで設けられているものである。
【０００７】
また、対向して配置された第１及び第２の透明基板間に液晶層を挟持してなる液晶パネル、上記液晶パネル前面となる上記第１基板側の表示領域を露出させる開口部を有し、上記液晶パネルを保持するフレーム、上記液晶パネル背面となる上記第２基板に平行に設けられた平面発光体、上記第１基板と上記第２基板との間に設けられ、上記液晶パネルの表示領域の周辺部を遮光するブラックマトリックス、上記第１基板の上記開口部側の面の周辺部に設けられた遮光部材を備え、上記遮光部材は、上記第１基板の端部から距離Ｌ2 （Ｌ2 ≧tg１・tan ・sin -1(n0 ／n1) ）（tg１は第１基板の厚さ，n0は空気の屈折率，n1は第１基板の屈折率）の位置まで設けられているものである。
【０００８】
また、対向して配置された第１及び第２の透明基板間に液晶層を挟持してなる液晶パネル、上記液晶パネル前面となる上記第１基板側の表示領域を露出させる開口部を有し、上記液晶パネルを保持するフレーム、上記液晶パネル背面となる上記第２基板に平行に設けられた平面発光体、上記第１基板と上記第２基板との間に設けられ、上記液晶パネルの表示領域の周辺部を遮光するブラックマトリックス、上記第１基板の上記開口部側の面の周辺部に設けられた第１の遮光部材、上記第２基板の上記平面発光体側の面の周辺部に設けられた第２の遮光部材を備え、Ｌ３＋Ｌ4 ≧tg１・tan・sin -1(n0 ／n1) ＋tg2・tan・sin -1(n0 ／n2)（Ｌ3は第１基板の端部と第１の遮光部材との距離，Ｌ4は第１基板の端部と第２の遮光部材との距離，tg１は第１基板の厚さ，n0は空気の屈折率，n1は第１基板の屈折率，tg２は第２基板の厚さ，n2は第２基板の屈折率）であるものである。
【０００９】
一定距離を隔て対向して配置された第１及び第２の透明基板間に液晶層を挟持してなり
、第１基板及び第２基板の端面が揃っていない辺を有する液晶パネルと、液晶パネル前面となる第１基板側の表示領域を露出させる開口部を有し、液晶パネルを保持するフレームと、液晶パネル背面となる第２基板に近接して平行に設けられた平面発光体と、第１基板または第２基板の液晶層側の面に形成され、液晶パネルの表示領域の周辺部を遮光するブラックマトリックスと、第１基板及び第２基板の端面が揃っていない辺において、大きい方の基板面のブラックマトリックス付近から、他方の基板の端部付近まで設けられた遮光膜を備えたものである。
【００１０】
また、一定距離を隔て対向して配置された第１及び第２の透明基板間に液晶層を挟持し
てなる液晶パネルと、液晶パネル前面となる第１基板側の表示領域を露出させる開口部を有し、液晶パネルを保持するフレームと、液晶パネル背面となる第２基板に近接して平行に設けられた平面発光体と、第１基板の端面に設けられた空気より屈折率の高い透明樹脂を備えたものである。
さらに、第２基板は、画素電極、表示用駆動素子及びゲート・ソース配線等の駆動用配
線を備えた表示駆動基板とするものである。
【００１１】
【発明の実施の形態】
実施の形態１．
以下に、本発明の実施の形態１を図について説明する。図１は、本実施の形態による液
晶表示装置を示す断面図、図２は図１に示す液晶表示装置の端部を示す拡大断面図である。図において、１は一定距離を隔て対向して配置された第１及び第２の透明基板間に液晶層（図示せず）を挟持してなる液晶パネルで、本実施の形態においては、第１基板はカラーフィルタ基板２、第２基板は画素電極、表示用駆動素子及びゲート・ソース配線等の駆動用配線を備えた表示駆動基板であるＴＦＴアレイ基板３である。また、４はカラーフィルタ基板２またはＴＦＴアレイ基板３の液晶層側の面に形成され、液晶パネル１の表示領域６の周辺部を遮光するブラックマトリックス、５は液晶パネル１前面となるカラーフィルタ基板２側の表示領域６を露出させる開口部を有し、液晶パネル１を保持する外形フレーム、７は液晶パネル１背面となるＴＦＴアレイ基板３に近接して平行に設けられた平面発光体、８はモールドフレーム、９はＴＦＴアレイ基板３にテープキャリアパッケージにて接続されたゲートバス基板である。さらに、１０は、ＴＦＴアレイ基板３の平面発光体７側の面の周辺部に設けられた遮光部材で、例えばゴム、ＰＥＴ等からなる遮光テープである。
【００１２】
本実施の形態では、カラーフィルタ基板２の厚さがtg１、屈折率n1、ＴＦＴアレイ基板
３の厚さがtg２、屈折率n2、空気の屈折率n0の時、ブラックマトリックス４は、カラーフ
ィルタ基板２の端部から距離ａ（ａ＜tg１・tan ・sin -1(n0／n1) ）を隔てた位置から
表示領域６に向かって形成されており、遮光テープ１０は、カラーフィルタ基板２の端部から距離Ｌ1 （Ｌ1 ≧tg２・tan ・sin -1(n0 ／n2) ＋ａ) の位置まで設けられているも
のである。ここで、sin -1(n0/n2) （図中θ２）は、液晶パネル１に９０度で入射した光
が、ＴＦＴ基板３中でパネルの法線となす角である。
本実施の形態によれば、平面発光体７から、ブラックマトリックス４よりも液晶パネル
１の端部、図２ではイ〜ロ間の経路を通る光を遮光テープ１０で遮光することができる。また、ロ〜ハ間の経路を通る光は、従来通りブラックマトリックス４によって遮光される。なお、本実施の形態による遮光テープ１０は、ＴＦＴアレイ基板３に貼り付けてもよいし、平面発光体７に貼り付けてもよい。ただし、平面発光体７に貼り付ける場合、遮光テープ１０は、液晶表示装置が組み立てられた時にＴＦＴアレイ基板３面に密着する程度の高さが必要である。
【００１３】
以上のように、本実施の形態によれば、平面発光体７から直接カラーフィルタ基板２端
面に到達する光が無くなり、光漏れに影響する光は、ブラックマトリックス４裏面及び遮光テープ１０とガラス基板界面の多重反射による光だけとなるため、従来、液晶表示装置を斜めから見た場合に視認されていたカラーフィルタ基板２端面の全反射によって起こる光漏れを大幅に軽減することができる。
【００１４】
実施の形態２．
以下に、本発明の実施の形態２を図について説明する。図３は、本実施の形態による液
晶表示装置を示す断面図、図４は図３に示す液晶表示装置の端部を示す拡大断面図である。図において、１１は、カラーフィルタ基板２の開口部側の面の周辺部に設けられた遮光部材で、例えばゴム、ＰＥＴ等からなる遮光テープである。なお、図中、同一、相当部分には同一符号を付し、説明を省略する。
【００１５】
本実施の形態では、カラーフィルタ基板２の厚さがtg１、屈折率n1、ＴＦＴアレイ基板
３の厚さがtg２、屈折率n2、空気の屈折率n0の時、ブラックマトリックス４は、カラーフ
ィルタ基板２の端部から距離ａ（ａ＜tg１・tan ・sin -1(n0／n1) ）を隔てた位置から
表示領域６に向かって形成されており、遮光テープ１１は、カラーフィルタ基板２の端部から距離Ｌ2 （Ｌ2 ≧tg１・tan ・sin -1(n0 ／n1) ）の位置まで設けられているもので
ある。ここで、sin -1(n0/n1) （図中θ１）は、液晶パネル１に９０度で入射した光がカ
ラーフィルタ基板２中でパネルの法線となす角である。
本実施の形態によれば、平面発光体７から、ブラックマトリックス４よりも液晶パネル
１の端部、図４ではイ〜ロ間の経路を通る光を遮光テープ１１で遮光することができる。また、ロ〜ハ間の経路を通る光は、従来通りブラックマトリックス４によって遮光される。
【００１６】
以上のように、本実施の形態によれば、平面発光体７から直接カラーフィルタ基板２端
面に到達する光が無くなり、光漏れに影響する光は、遮光テープ１１及びブラックマトリックス４とカラーフィルタ基板２の界面との多重反射による光だけとなるため、従来、液晶表示装置を斜めから見た場合に視認されていたカラーフィルタ基板２端面の全反射によって起こる光漏れを大幅に軽減することができる。
【００１７】
実施の形態３．
以下に、本発明の実施の形態３を図について説明する。図５は、本実施の形態による液
晶表示装置を示す断面図、図６は図５に示す液晶表示装置の端部を示す拡大断面図である。図において、１０ａは、ＴＦＴアレイ基板３の平面発光体７側の面の周辺部に設けられた遮光部材Ａで、例えばゴム、ＰＥＴ等からなる遮光テープ、１１ａは、カラーフィルタ基板２の開口部側の面の周辺部に設けられた遮光部材Ｂで、例えばゴム、ＰＥＴ等からなる遮光テープである。なお、図中、同一、相当部分には同一符号を付し、説明を省略する。
【００１８】
本実施の形態では、カラーフィルタ基板２の厚さがtg１、屈折率n1、ＴＦＴアレイ基板
３の厚さがtg２、屈折率n2、空気の屈折率n0の時、ブラックマトリックス４は、カラーフ
ィルタ基板２の端部から距離ａ（ａ＜tg１・tan ・sin -1(n0／n1) ）を隔てた位置から
表示領域に向かって形成されており、遮光テープ１１ａは、カラーフィルタ基板２の端部から距離Ｌ3 （Ｌ3 ≦tg１・tan ・sin -1(n0 ／n1) ）の位置まで設けられ、且つ遮光テ
ープ１０ａは、カラーフィルタ基板２の端部から距離Ｌ4 （Ｌ4 ≧tg２・tan ・sin -1(n
0 ／n2)＋ａ−Ｌ3 ）の位置まで設けられているものである。ここで、sin -1(n0/n1) （
図中θ１）は、液晶パネル１に９０度で入射した光がカラーフィルタ基板２中でパネルの法線となす角、sin -1(n0/n2) （図中θ２）は、液晶パネル１に９０度で入射した光が、
ＴＦＴ基板３中でパネルの法線となす角である。すなわち、遮光テープ１１ａと遮光テープ１０ａは、それぞれカラーフィルタ基板２の端部からの距離で、合計tg１・tan θ１＋
tg２・tanθ２以上の領域に設けられている。
【００１９】
本実施の形態によれば、平面発光体７から、図６中、イ〜ロ間の経路を通る光は遮光テ
ープ１０ａで、ロ〜ハ間の経路を通る光は遮光テープ１１ａで遮光することができる。また、ハ〜ニ間の経路を通る光は、従来通りブラックマトリックス４によって遮光される。なお、本実施の形態による遮光テープ１０ａは、ＴＦＴアレイ基板３に貼り付けてもよいし、平面発光体７に貼り付けてもよい。ただし、平面発光体７に貼り付ける場合、遮光テープ１０ａは、液晶表示装置が組み立てられた時にＴＦＴアレイ基板３面に密着する程度の高さが必要である。
【００２０】
以上のように、本実施の形態によれば、平面発光体７から直接カラーフィルタ基板２端
面に到達する光が無くなり、光漏れに影響する光は、ブラックマトリックス４、遮光テープ１０ａ及び遮光テープ１１ａと、それぞれが接するガラス基板界面との多重反射による光だけとなるため、従来、液晶表示装置を斜めから見た場合に視認されていたカラーフィルタ基板２端面の全反射によって起こる光漏れを大幅に軽減することができる。さらに、本実施の形態では、上記実施の形態１及び２と比較して、遮光テープ１０ａ及び遮光テープ１１ａの幅をそれぞれ狭くすることができるため、液晶表示装置の狭額縁化が図られる。
【００２１】
実施の形態４．
以下に、本発明の実施の形態４を図について説明する。図７は、本実施の形態による液
晶表示装置を示す斜視図、図８は図７中Ａで示す液晶表示装置の端部を示す拡大断面図である。本実施の形態による液晶パネル１は、カラーフィルタ基板２とＴＦＴアレイ基板３の端面が揃っていない辺を有するもので、図において、１２は、カラーフィルタ基板２及びＴＦＴアレイ基板３の端面が揃っていない辺において、大きい方の基板面（本実施の形態ではＴＦＴアレイ基板３面）の、ブラックマトリックス４付近から、他方の基板（本実施の形態ではカラーフィルタ基板２）の端部付近まで設けられた遮光膜である。なお、図中、同一、相当部分には同一符号を付し、説明を省略する。
【００２２】
本実施の形態によれば、平面発光体７から、図８中、ロ〜ハ間の経路を通る光は、遮光
膜１２で遮光することができる。また、イ〜ロ間の経路を通る光は、遮光膜１２またはブラックマトリックス４によって遮光される。なお、遮光膜１２は、例えばチャネル形成時またはソース配線形成時に同時に形成することができ、工程数を増やすことなく形成することが可能である。
【００２３】
以上のように、本実施の形態によれば、平面発光体７から直接カラーフィルタ基板２端
面に到達する光が無くなり、光漏れに影響する光は、ブラックマトリックス４と遮光膜１２の間の多重反射による光だけとなるため、従来、液晶表示装置を斜めから見た場合に視認されていたカラーフィルタ基板２端面の全反射によって起こる光漏れを大幅に軽減することができる。なお、本実施の形態では、遮光膜１２をゲート端子が無い側の辺に形成したが、カラーフィルタ基板２とＴＦＴアレイ基板３の端面が揃っていない辺であれば、いずれの辺に形成しても良く、同様の効果を奏する。
【００２４】
実施の形態５．
以下に、本発明の実施の形態５を図について説明する。図９は、本実施の形態による液
晶表示装置を示す斜視図、図１０は図９中Ｂで示す液晶表示装置の端部を示す拡大断面図である。図において、１３は、カラーフィルタ基板２の端面に設けられた空気より屈折率の高い透明樹脂である。なお、図中、同一、相当部分には同一符号を付し、説明を省略する。
【００２５】
本実施の形態による透明樹脂１３の屈折率n3は、sin -1(n1/n0)sin・cos -1(n3/n1) ＜
９０を満たすものである。本実施の形態では、透明樹脂１３で覆われたカラーフィルタ基板２端面での全反射条件は、θ２≦cos -1(n3/n1) となる。これを満たすには、液晶パネ
ル１への光の入射は、θ０≦sin -1(n1/n0)sin・cos -1(n3/n1) となり、かなり制限され
る。また、液晶パネル１からの出射角も入射角と同様に制限されるため、外形フレーム５による遮光も可能になる。また、カラーフィルタ基板２端面で反射せずに透明樹脂１３側へ透過した光が、透明樹脂１３と空気の界面で全反射した場合でも、液晶パネル１と平行な光にはならないため、これも外形フレーム５による遮光が可能となる。なお、本実施の形態では、透明樹脂１３をゲート端子側の辺のカラーフィルタ基板２端面に設けたが、液晶表示装置の前面となる透明基板のいずれの辺に設けても良く、同様の効果を奏する。
【００２６】
【発明の効果】
以上のように、本発明によれば、第２基板の平面発光体側の面の周辺部に設けられた遮光部材は、第１基板の端部から距離Ｌ1 （Ｌ1 ≧tg２・tan ・sin -1(n0 ／n2) ＋ａ） （tg２は第２基板の厚さ，n0は空気の屈折率，n2は第２基板の屈折率，ａは第１基板の端部とブラックマトリックスとの距離）の位置まで設けられているので、平面発光体から直接、第１基板端面に到達する光が無くなり、従来、液晶表示装置を斜めから見た場合に視認されていた第１基板端面の全反射によって起こる光漏れを大幅に軽減することが可能である。
【図面の簡単な説明】
【図１】  本発明の実施の形態１による液晶表示装置を示す断面図である。    
【図２】  本発明の実施の形態１による液晶表示装置の端部を示す拡大断面図である。
【図３】  本発明の実施の形態２による液晶表示装置を示す断面図である。 
【図４】  本発明の実施の形態２による液晶表示装置の端部を示す拡大断面図である。
【図５】  本発明の実施の形態３による液晶表示装置を示す断面図である。 
【図６】  本発明の実施の形態３による液晶表示装置の端部を示す拡大断面図である。
【図７】  本発明の実施の形態４による液晶表示装置を示す斜視図である。  
【図８】  本発明の実施の形態４による液晶表示装置の端部を示す拡大断面図である。
【図９】  本発明の実施の形態５による液晶表示装置を示す斜視図である。 
【図１０】  本発明の実施の形態５による液晶表示装置の端部を示す拡大断面図である。
【図１１】  従来の一般的な透過型液晶表示装置を示す斜視図である。
【図１２】  従来の液晶表示装置を示す断面図である。
【図１３】  従来の液晶表示装置の端部を示す拡大断面図である。
【符号の説明】
１ 液晶パネル、２  カラーフィルタ基板、３  ＴＦＴアレイ基板、
４  ブラックマトリックス、５  外形フレーム、６  表示領域、
７  平面発光体、８  モールドフレーム、９  ゲートバス基板、
１０、１０ａ、１０ｂ、１１、１１ａ、１１ｂ  遮光テープ、１２  遮光膜、
１３  透明樹脂。